(57)【要約】【課題】目の不自由な人にも、残り枚数が確認可能なパッケージを提供すること。【解決手段】本発明のパッケージ１は、使い捨ての吸収性物品２を内部に収納するパッケージ１であって、該パッケージ１は、その外面を指で触れることにより、パッケージ１内に残っている吸収性物品２の位置を特定可能な可撓性を有する。そしてパッケージ１の外面には、吸収性物品２の残り枚数や量を示す、「半分」「５」「１ラスト」等を表す、指で触れることにより判別可能な点字２０が、その枚数や量に対応する位置に表示されている。【選択図】図１
2014129121.tif 000002
【特許請求の範囲】
【請求項１】
使い捨ての吸収性物品を内部に収納するパッケージであって、
該パッケージは、その外面を指で触れることにより、前記パッケージ内に残っている前記吸収性物品の位置を特定可能な可撓性を有し、
前記外面には、前記吸収性物品の残り枚数や量を示す、指で触れることにより判別可能な第１の表示部が、その残り枚数に対応する位置に設けられていること、
を特徴とするパッケージ。
【請求項２】
前記パッケージから前記吸収性物品を取出す取出口の位置が、指で触れることにより識別可能な第２の表示部により表示されていること、
を特徴とする請求項１に記載のパッケージ。
【請求項３】
前記吸収性物品の用途が、指で触れることにより識別可能な第３の表示部により表示されていること、
を特徴とする請求項１または２に記載のパッケージ。
【請求項４】
前記表示部は、点字であること、
を特徴とする請求項１から３のいずれか１項に記載のパッケージ。
【発明の詳細な説明】
【技術分野】
【０００１】
本発明は、内部に複数の吸収性物品を収容するパッケージに関する。
【背景技術】
【０００２】
従来、おむつや生理用ナプキン等の吸収性物品は、複数個ごとにパッケージ内に密封されて販売されている（例えば、特許文献１参照）。このような吸収性物品は、家庭において常備しておく場合が多い。このため、残り枚数が少なくなると、完全になくなる前に次のパッケージが購入される。ここで、健常者は、残り枚数を視覚で確認することが出来るため、次のパッケージの購入時期を容易に認識することができる。
【先行技術文献】
【特許文献】
【０００３】
【特許文献１】特開２０１２−６６８３９号公報
【発明の概要】
【発明が解決しようとする課題】
【０００４】
しかし、目の不自由な人は、残りの枚数を指で触れて確認しなくてはならない。このとき、残りが１，２枚であれば、指で触っても容易に残り枚数を確認可能であるが、それでは次の購入まで枚数が足りない場合がある。また、残りが多いと、あと何枚あるかを指で触れて数えるのは時間がかかる。
【０００５】
本発明は、目の不自由な人にも、残り枚数が確認可能なパッケージを提供することを目的とする。
【課題を解決するための手段】
【０００６】
本発明は、使い捨ての吸収性物品を内部に収納するパッケージであって、該パッケージは、その外面を指で触れることにより、前記パッケージ内に残っている前記吸収性物品の位置を特定可能な可撓性を有し、前記外面には、前記吸収性物品の残り枚数や量を示す、指で触れることにより判別可能な第１の表示部が、その残り枚数に対応する位置に設けられているパッケージに関する。
【０００７】
前記パッケージから前記吸収性物品を取出す取出口の位置は、指で触れることにより識別可能な第２の表示部により表示されていることが好ましい、
【０００８】
前記吸収性物品の用途は、指で触れることにより識別可能な第３の表示部により表示されていることが好ましい。
【０００９】
前記表示部は、点字であることが好ましい。
【発明の効果】
【００１０】
本発明によれば、目の不自由な人にも、残り枚数が確認可能なパッケージを提供することができる。
【図面の簡単な説明】
【００１１】
【図１】第１実施形態に係るパッケージの斜視図である。
【図２】第２実施形態に係るパッケージの斜視図である。
【図３】第３実施形態に係るパッケージの斜視図である。
【図４】第４実施形態に係るパッケージの斜視図である。
【発明を実施するための形態】
【００１２】
（第１実施形態）
以下、本発明の好ましい実施形態につき図面を参照しながら説明する。図１は第１実施形態に係るパッケージ１の斜視図である。本実施形態のパッケージ１は、図１に示すように、吸収性物品として、複数のナプキン２を内部に備えて密封された袋体である。
【００１３】
本実施形態のパッケージ１は、四角の筒状体における、対向する左右の縁部を内側に折り込んで、ガゼット部（マチ）を形成し、その状態で前後の縁部を合わせて、縁部の端部から所定長さの部分を、ヒートシール３で接着することにより形成されたものである。
【００１４】
このようなガゼット状の袋体は、包装材料の単位面積当たりの包装内容積が大きく、店頭での陳列性、表示性に優れている。ただし、本発明のパッケージ１はガゼット状の袋に限定されるわけではない。
パッケージ１の材料は、ポリプロピレン、ポリエチレン、ポリエチレンテレフタレート等の一般的に使用されている公知の可撓性のプラスチックフィルムである。このようにパッケージ１は可撓性を有するので、その外面を指で触れることにより、パッケージ１におけるナプキン２が残っている位置を確認可能である。
【００１５】
パッケージ１は、ヒートシール３で接着された上面５及び下面６と、筒状体の外周面からなる、前面７及び後面８と、右面９及び左面１０とを有する。
上面５及び下面６は、上述のように、筒状体の前後の縁部を合わせて、縁部の端部から所定長さの部分をヒートシール３で接着されている。この際、縁部の端部からヒートシール３までの余剰部分、すなわち接着代１１が形成される（上面５のみ図示）。
【００１６】
また、上面５には、取出口１５が形成されている。取出口１５には、ミシン目１５ａによって形成されている。ミシン目１５ａは、間に接着代１１を挟んで平行に２本形成されている。その２本のミシン目１５ａの中央部を結ぶようにして、上面５の前後方向に延びるミシン目１５ｂが形成されている。その前後方向に延びるミシン目１５ｂは、接着代１１上も延びている。
【００１７】
接着代１１における、このミシン目１５ｂを挟んだ２箇所をつまんで、左右に引っ張ることにより、ミシン目１５ｂ、及びそれに次いでミシン目１５ａが破れて、取出口１５からパッケージ１のナプキン２を取り出すことが可能となる。本実施形態において接着代１１には、ミシン目１５ｂを挟んだ２所に、目の不自由な人も引っ張る箇所を認識可能なように、点字２１によって「ここを左右に引っ張って」と記載されている。
なお、ミシン目１５は本実施形態において直線状に設けたが、これに限定されず、例えば、上面５の中央部を接点として互いに逆向きに設けられたＵ字等の曲線であっても良い。
【００１８】
パッケージ１に収納されている吸収性物品は、ナプキン２が個別包装されたものである。ただし、これに限定されず、オムツ、パンティライナー、マスク、掃除用シート等の他の使い捨ての吸収性物品であってもよい。
【００１９】
個別包装されたナプキン２は、パッケージ１内に横に寝かせた状態で、一列に並べて配置されている。本実施形態では取出口１５は、ミシン目１５ｂを左右に引っ張ることにより水平に開口し、横に寝かせた状態で一列に配置されたナプキン２は、取出口１５から１枚のみ外部に対して露出する。そして、当該ナプキン２は、一般に上から１枚ずつ抜き取られる。
したがって、本実施形態においてナプキン２を、取出口１５から取り出していったときに、取出口１５が設けられている面（本実施形態では上面５）から、残っているナプキン２のうちの、一番、取出口１５に近いナプキン２（一番上にあるナプキン２）の表面までの距離によって、残りの枚数がわかる。
なお、取出口１５と反対側のパッケージ１の底部からの、残っているナプキン２のうちの、一番取出口１５に近いナプキン２（一番上にあるナプキン２）の表面までの距離によって、残りの枚数がわかる、ということもできる。
【００２０】
本実施形態では、パッケージ１の取出口１５とナプキン２とのこのような配置により、一番取出口１５に近いナプキン２の表面までの距離によって、パッケージ１に残っているナプキン２の枚数が求まる。
そこで、本実施形態では、パッケージ１の外面における特定位置に、パッケージ１に残っているナプキン２のうちの、一番取出口１５に近いナプキン２の表面がその特定位置にある場合の、そのパッケージ１内に残っているナプキン２の枚数を表示する。
この表示は、本実施形態では点字２０を用いる。ただし、点字に限らず、目の不自由な人が手で残り枚数を確認できるものあれば、点字に限らず、凹凸で表されたその他の記号、文字、マーク等であってもよい。
【００２１】
なお、特定位置は、残り枚数がきりのいい枚数の位置や「半分」や「１／４」等の残りの量が感覚的に把握しやすい枚数の位置が好ましい。
例えば、図示するように、残りの枚数が１枚となる特定位置には「１  ラスト」と点字２０で表示する。残りの枚数が５枚となる特定位置には「５」と点字２０で表示する。残りの枚数が全枚数の半分となる特定位置には「半分」と点字２０で表示する。なお、この表示は一例であって、残り枚数がわかるように表示されていれば他の表示形態であってもよい。
【００２２】
本実施形態において、パッケージ１入りのナプキン２を目の不自由は購入者が購入した場合、まず、上面５に設けられた接着代１１に触れると、「ここを左右に引っ張って左右に引っ張って」と点字２１で記載されていることがわかる。
購入者は、「ここを左右に引っ張って」という点字２１にしたがって、接着代１１の真ん中を挟んで左右に引っ張る。そうすると、パッケージ１には取出口１５が形成される。
【００２３】
購入者は、この取出口１５より、内部に収納されているナプキン２を、取出口１５に近いものから順に取出していく。そして、目の不自由な購入者は、残りの枚数を確認する場合、パッケージ１の外側を指で触れて、残っているナプキン２のうちの一番上のナプキン２の、取出口１５側の表面の位置を確認する。
そこに点字２０で「半分」と描かれている場合、残りの枚数が半分になったことを知ることが出来る。また、そこに「５」と描かれている場合、残りの枚数があと５枚になったことを知ることが出来る。たとえば、夜用ナプキンの場合、１ヶ月の生理期間を鑑みたときに、購入タイミングを伝える働きもある。さらに、そこに「１  ラスト」と描かれている場合、残りの枚数が１枚になったことを知ることが出来る。
このように、本実施形態によると、目の不自由な購入者も、ナプキン２の残りの枚数を容易に確認することができ、適切な補充時期を知ることが出来る。
【００２４】
（第２実施形態）
上述の実施形態のパッケージ１は、ナプキン２が縦（パッケージ１の取出口１５から底に延びる方向）に一列に並んでいる例について説明したがこれに限定されない。
図２は、ナプキン２が縦に２列に並んでいる第２実施形態を示したものである。本実施形態の場合も、パッケージ１の外面における特定位置に、パッケージ１に残っているナプキン２のうちの、一番取出口１５に近いナプキン２の表面がその特定位置にある場合の、そのパッケージ１内に残っているナプキン２の枚数が点字２０で表示されている。
さらに、本実施形態は、例えば、図２に示すように「夜用」「羽根あり」等、残り枚数以外に、商品の情報も点字２２で表示されている。
【００２５】
本実施形態によると、第１実施形態と同様に、購入者は、取出口１５より、内部に収納されているナプキン２を、取出口１５に近いものから順に取出していく。そして、目の不自由な購入者は、残りの枚数を確認する場合、パッケージ１の外側を指で触れて、残っているナプキン２のうちの一番上のナプキン２の、取出口１５側の表面の位置を確認する。
そこに点字２０で「半分」と描かれている場合、残りの枚数が半分になったことを知ることが出来る。また、そこに点字２０で「１  ラスト」と描かれている場合、残りの枚数が１枚になったことを知ることが出来る。
このように、本実施形態によると、目の不自由な購入者も、ナプキン２の残りの枚数を容易に確認することができ、適切な補充時期を知ることが出来る。
さらに本実施形態は、「夜用」「羽根あり」等、残り枚数以外の商品の情報も点字２２で表示されているので、目の不自由な購入者は、商品情報も確認することが出来る。
【００２６】
（第３実施形態）
図３は本実施形態の第３実施形態であって、ナプキン２が立った状態で横に並んでおり、且つその横の列が上下の２列設けられている形態を示したものである。また、パッケージ１におけるナプキン２の取出口１６は、パッケージ１の、前面７と右面９との角部に設けられている。
この場合、使用者は、通常、まず、上列のナプキン２を取り出し、次に下列のナプキン２を使用する。本実施形態の場合、下列の取出口１６から、残っているナプキン２のうちの、一番、取出口１５に近いナプキン２（一番右にあるナプキン２）の表面までの距離によって、残りの枚数がわかる。
そこで、本実施形態では、パッケージ１の外面に、パッケージ１に残っているナプキン２のうちの、一番取出口１５に近いナプキン２（一番右にあるナプキン２）の表面がその位置にある場合の、そのパッケージ１内に残っているナプキン２の枚数を点字２０で表示する。
本実施形態においても目の不自由な購入者は、残りの枚数を確認する場合、パッケージ１の外側を指で触れて、残っているナプキン２のうちの一番右のナプキン２の、取出口１６側の表面の位置を確認する。
そこに点字２０で「半分」と描かれている場合、残りの枚数が半分になったことを知ることが出来る。また、そこに点字２０で「５」と描かれている場合、残りの枚数があと５枚になったことを知ることが出来る。さらに、そこに点字２０で「１  ラスト」と描かれている場合、残りの枚数が１枚になったことを知ることが出来る。
このように、本実施形態によると、目の不自由な購入者も、ナプキン２の残りの枚数を容易に確認することができ、適切な補充時期を知ることが出来る。
なお、本実施形態では、残り枚数が少なくなると、ナプキン２が横に倒れる可能性もあるが、このような場合であっても、点字は残り枚数の目安にはなる。
【００２７】
（第４実施形態）
図４は、第４実施形態を示した図である。第４実施形態は、吸収性物品としてナプキンではなくオムツ２’を用いた場合の例を示したものである。その他の構成は第３実施形態と同様であり、オムツ２’は立った状態で横に並んでおり、且つその横の列が上下の２列設けられている。また、パッケージ１におけるナプキン２の取出口１６は、パッケージ１の、前面７と右面９との角部に設けられている。
本実施形態においても目の不自由な購入者は、残りの枚数を確認する場合、パッケージ１の外側を指で触れて、残っているオムツ２’のうちの一番右のオムツ２’の、取出口１６側の表面の位置を確認する。
そこに点字２０で「半分」と描かれている場合、残りの枚数が半分になったことを知ることが出来る。また、そこに点字２０で「１０」と描かれている場合、残りの枚数があと１０枚になったことを知ることが出来る。さらに、そこに点字２０で「１  ラスト」と描かれている場合、残りの枚数が１枚になったことを知ることが出来る。
このように、本実施形態によると、目の不自由な購入者も、オムツ２’の残りの枚数を容易に確認することができ、適切な補充時期を知ることが出来る。
【符号の説明】
【００２８】
１…パッケージ
２…ナプキン
２’…オムツ
１５…取出口
１６…取出口
【図１】
2014129121.tif 000003
【図２】
2014129121.tif 000004
【図３】
2014129121.tif 000005
【図４】
2014129121.tif 000006